(57)【特許請求の範囲】
【請求項１】
非接触式ＩＣカードを搬送するカード搬送手段と、上記非接触式ＩＣカードが搬送されるカード搬送路と、上記非接触式ＩＣカードと信号を授受する通信用アンテナとを有するＩＣカードリーダにおいて、上記カード搬送路を挟んで上記通信用アンテナと対向する位置に配置され、樹脂成形されたホルダと、該ホルダに形成され、上記ＩＣカードのエンボス部分以外の部分を押さえるリブと、該リブを介して上記ＩＣカードを押さえる加圧機構を備え、上記通信用アンテナは、上記カード搬送路を搬送される上記非接触式ＩＣカードに対向する位置に配置され、上記通信用アンテナが配置された近傍における上記カード搬送路を画する部材は樹脂成形されるとともに、上記ホルダには、搬送中の非接触式ＩＣカードに形成されたエンボスを読み取るスキャナが取り付けられていることを特徴とするＩＣカードリーダ。
【請求項２】
上記スキャナは、密着型スキャナまたは縮小光学型スキャナであることを特徴とする請求項１記載のＩＣカードリーダ。
【請求項３】
上記ホルダを上記カード搬送路に対して近接・離間する方向に移動可能な開閉機構を有することを特徴とする請求項１又は２記載のＩＣカードリーダ。
【請求項４】
非接触式ＩＣカードを搬送するカード搬送手段と、上記非接触式ＩＣカードが搬送されるカード搬送路と、上記非接触式ＩＣカードと信号を授受する通信用アンテナとを有するＩＣカードリーダにおいて、上記カード搬送路を挟んで上記通信用アンテナと対向する位置に配置され、樹脂成形されたホルダと、該ホルダに形成され、上記ＩＣカードのエンボス部分以外の部分を押さえるリブとを備え、上記通信用アンテナは、上記カード搬送路を搬送される上記非接触式ＩＣカードに対向する位置に配置され、上記通信用アンテナが配置された近傍における上記カード搬送路を画する部材は樹脂成形されるとともに、上記ホルダには、搬送中の非接触式ＩＣカードに形成されたエンボスを読み取る縮小光学型スキャナが取り付けられていることを特徴とするＩＣカードリーダ。
【発明の詳細な説明】
【０００１】
【発明の属する技術分野】
本発明は、ＩＣカードリーダに関する。更に詳述すると、本発明はＩＣカードと非接触でデータをリード・ライトするＩＣカードリーダに関するものである。
【０００２】
【従来の技術】
ＩＣカードの普及に伴いＩＣカードを処理できるＩＣカードリーダの使用が拡大している。一般的に多く普及しているのは接触式のＩＣカードであり、接触式ＩＣカードを処理するＩＣカードリーダはＩＣ接点ブロックを備え、取り込んだＩＣカードを所定位置まで搬送して停止させた後、ＩＣ接点ブロックをＩＣカードのＩＣ接点に接触させてデータのリード・ライトを行っている。
【０００３】
また、例えば銀行のＡＴＭ等で使用されているＩＣカードリーダでは、処理したＩＣカードのエンボス文字等を撮影して画像データを取得するイメージスキャナを備えている。
【０００４】
【発明が解決しようとする課題】
ところで近年、非接触式ＩＣカードの開発に伴い非接触式ＩＣカードを処理できるＩＣカードリーダの需要が新たに生じてきた。非接触式ＩＣカードは通信用アンテナから電波を発信してＩＣカードのリード・ライトを行う方式のものである。このため、通信用アンテナを新たに設置する必要があるが、金属部品の近くに通信用アンテナを設置すると発信した電波が弱められてリードライト性能が低下してしまうことが知られている。一般的にカードリーダ内には金属部品が多く使用されていることから、リードライト性能を低下させることなく、通信用アンテナを設置したいとの要請があった。
【０００５】
また、ＩＣ接点ブロックを備えており接触式ＩＣカードを処理できるＩＣカードに非接触式ＩＣカードを処理できる機能を追加するためには、通信用アンテナを新たに設ける必要があるが、その場合、単に通信用アンテナを追加するのではＩＣカードリーダが大型化してしまう。
【０００６】
本発明は、リードライト性能の低下防止と、小型化が可能なＩＣカードリーダを提供することを目的とする。
【０００７】
【課題を解決するための手段】
かかる目的を達成するために請求項１記載の発明は、非接触式ＩＣカードを搬送するカード搬送手段と、非接触式ＩＣカードが搬送されるカード搬送路と、非接触式ＩＣカードと信号を授受する通信用アンテナとを有するＩＣカードリーダにおいて、カード搬送路を挟んで通信用アンテナと対向する位置に配置され、樹脂成形されたホルダと、該ホルダに形成され、ＩＣカードのエンボス部分以外の部分を押さえるリブと、該リブを介してＩＣカードを押さえる加圧機構を備え、通信用アンテナは、カード搬送路を搬送される非接触式ＩＣカードに対向する位置に配置され、通信用アンテナが配置された近傍におけるカード搬送路を画する部材は樹脂成形されるとともに、ホルダには、搬送中の非接触式ＩＣカードに形成されたエンボスを読み取るスキャナが取り付けられている。
【０００８】
したがって、カード搬送手段がカード搬送路に沿って非接触式ＩＣカードを搬送すると、非接触式ＩＣカードは通信用アンテナの近傍を通過し非接触でデータのリード・ライトが行われる。通信用アンテナの周囲のカード搬送路は樹脂成形されているので、通信用アンテナの電波がカード搬送路によって大きく弱められることはない。また、通信用アンテナはＩＣカードリーダの内部に取り付けられる。
【０００９】
また、カード搬送手段によって非接触式ＩＣカードを搬送しながらスキャナによって非接触式ＩＣカードの表面の画像を取り込むことができる。このとき、加圧機構はホルダのリブを非接触式ＩＣカードの表面に押し付ける。このため、たとえ非接触式ＩＣカードが湾曲していてもこの湾曲を矯正しながらカード表面の走査が行われる。また、加圧機構によってホルダを非接触式ＩＣカードに向けて加圧しているので、ホルダに取り付けられたスキャナと非接触式ＩＣカードとの間隔を一定に保持した状態でカード表面の走査が行われる。さらに、加圧機構によってホルダを加圧することでＩＣカードと通信用アンテナとの間隔を一定に保持した状態でリードライトの通信が行われる。
【００１０】
また、請求項２記載のＩＣカードリーダのように、スキャナが密着型スキャナまたは縮小光学型スキャナであっても良い。
【００１１】
さらに、請求項３記載のＩＣカードリーダは、ホルダをカード搬送路に対して近接・離間する方向に移動可能な開閉機構を有している。したがって、加圧機構がホルダを加圧する方向と、開閉機構によるホルダの移動方向が同じになる。
【００１２】
また、請求項４記載のＩＣカードリーダは、非接触式ＩＣカードを搬送するカード搬送手段と、非接触式ＩＣカードが搬送されるカード搬送路と、非接触式ＩＣカードと信号を授受する通信用アンテナとを有するＩＣカードリーダにおいて、カード搬送路を挟んで通信用アンテナと対向する位置に配置され、樹脂成形されたホルダと、該ホルダに形成され、ＩＣカードのエンボス部分以外の部分を押さえるリブとを備え、通信用アンテナは、カード搬送路を搬送される非接触式ＩＣカードに対向する位置に配置され、通信用アンテナが配置された近傍におけるカード搬送路を画する部材は樹脂成形されるとともに、ホルダには、搬送中の非接触式ＩＣカードに形成されたエンボスを読み取る縮小光学型スキャナが取り付けられている。
【００１３】
したがって、カード搬送手段がカード搬送路に沿って非接触式ＩＣカードを搬送すると、非接触式ＩＣカードは通信用アンテナの近傍を通過し非接触でデータのリード・ライトが行われる。通信用アンテナの周囲のカード搬送路は樹脂成形されているので、通信用アンテナの電波がカード搬送路によって大きく弱められることはない。また、通信用アンテナはＩＣカードリーダの内部に取り付けられる。
【００１４】
また、カード搬送手段によって非接触式ＩＣカードを搬送しながら縮小光学型スキャナによって非接触式ＩＣカードの表面の画像を取り込むことができる。縮小光学型スキャナは被写界深度が深いものであり、たとえＩＣカードが多少湾曲していてもカード表面の画像を鮮明に取り込むことができる。
【００１５】
【発明の実施の形態】
以下、本発明の構成を図面に示す最良の形態に基づいて詳細に説明する。
【００１６】
図１から図６に、本発明を適用したＩＣカードリーダの実施形態の一例を示す。このＩＣカードリーダ（以下、単にカードリーダという）は、非接触式ＩＣカード（以下、単にＩＣカードという）４を搬送するカード搬送手段３と、ＩＣカード４が搬送されるカード搬送路２と、ＩＣカード４と信号を授受する通信用アンテナ（非接触ＩＣアンテナ）１０とを有するもので、カード搬送路２を挟んで通信用アンテナ１０と対向する位置に配置され、樹脂成形されたホルダ１６と、該ホルダ１６に形成され、ＩＣカード４のエンボス部分以外の部分を押さえるリブ２２と、該リブ２２を介してＩＣカード４を押さえる加圧機構６を備え、通信用アンテナ１０は、カード搬送路２を搬送されるＩＣカード４に対向する位置に配置され、通信用アンテナ１０が配置された近傍におけるカード搬送路２を画する部材は樹脂成形されているとともに、ホルダ１６には、搬送中のＩＣカード４に形成されたエンボスを読み取るスキャナ５が取り付けられている。
【００１７】
スキャナ５は、例えば密着型スキャナまたは縮小光学型スキャナであり、本実施形態では密着型スキャナである。また、このカードリーダは、ホルダ１６をカード搬送路２に対して近接・離間する方向に移動可能な開閉機構７を有している。
【００１８】
なお、スキャナ５はＩＣカード４の表面に形成されたエンボス文字を読み取るものであるが、エンボス文字を読み取るものに限るのではなく、ＩＣカード４の表面の模様等を読み取るものであっても良い。
【００１９】
このカードリーダは、ＩＣカード４に設けられたＩＣ接点に接触してデータのリード・ライトを行う接触式のＩＣ接点ブロック８と、ＩＣカード４に設けられた磁気ストライプとの間でデータのリード・ライトを行う磁気ヘッド９の他に、ＩＣカード４に設けられたアンテナとの間で通信を行い非接触でデータのリード・ライトを行う通信用アンテナ１０を有している。通信用アンテナ１０、密着型スキャナ５及び加圧機構６は、カードリーダの磁気処理・接触処理部１１の奥側の画像読み込み部１２に配置されている。
【００２０】
開閉機構７は、カードリーダのフレーム１３に軸１４によって揺動可能に取り付けられた揺動フレーム１５と、揺動フレーム１５に固定されたホルダ１６と、ホルダ１６を固定フレーム１７に係止する係止手段１８を備えて構成されている。ホルダ１６には、密着型スキャナ５が左右の押さえ板１９，２０によって固定されている。また、ホルダ１６の密着型スキャナ５の前後部分はカード搬送路２の上方を画する壁（以下、搬送路上側壁という）２１となっている。さらに、本実施形態では、ホルダ１６は樹脂成形されており、前後の搬送路上側壁２１も樹脂成形されている。リブ２２は、前後の搬送路上側壁２１に形成されており、リブ２２をＩＣカード４に形成されているエンボス文字を避けた位置、即ちエンボス部分以外の部分に摺動させることで、ＩＣカード４と密着型スキャナ５の間隔を所定長にしている。本実施形態では、図４に示すように、前後の搬送路上側壁２１の左右両端と中央にリブ２２が形成されている。
【００２１】
係止手段１８は、摘み２３と、摘み２３に固定された軸２４と、軸２４をその径方向に貫通する止めピン２５を備えて構成されている。軸２４はホルダ１６に設けられた孔２６を貫通し、止めピン２５によって抜け落ちるのを防止されている。ホルダ１６の孔２６の周囲部分の下面には、図５に示すように、止めピン２５を収容可能な窪み２７が設けられている。
【００２２】
図６に固定フレーム１７を示す。固定フレーム１７はカードリーダのフレーム１３に固定され、カード搬送路２の上方を画する壁を構成している。固定フレーム１７の係止手段１８に対向する位置には、図２に示すように、孔２８が設けられている。また、固定フレーム１７の上面には、孔２８を覆うように係止プレート２９が取り付けられており、係止プレート２９の孔２８に対向する位置には、軸２４の先端及び止めピン２５が通過可能な形状のスリット３０が設けられている。したがって、軸２４を回転させて止めピン２５の位置をスリット３０の形状に合わせることで、軸２４の先端を孔２８に挿入したり孔２８から引き抜いたりすることが出来る。また、軸２４を回転させて止めピン２５の位置をスリット３０からずらしておくことで、孔２８内に挿入した軸２４の先端を孔２８から抜けないようにすることが出来る。
【００２３】
加圧機構６は、例えば係止手段１８の軸２４の周りに配置されたコイルスプリングである。この加圧機構６は、摘み２３とホルダ１６の間に圧縮された状態で設けられ、ホルダ１６をカード搬送路２に向けて、即ち開閉機構７が開閉する方向に向けて押圧している。加圧機構６は、カードリーダが取り扱うＩＣカード４の厚さや形状（湾曲の有無等）等に応じて伸縮する。
【００２４】
画像読み込み部１２においてカード搬送路２の下側は樹脂製の搬送路下側壁３１によって画されている。また、搬送路下側壁３１の下方には、通信用アンテナ１０が配置されている。搬送路下側壁３１、ホルダ１６、固定フレーム１７は樹脂製であり、通信用アンテナ１０が配置された近傍におけるカード搬送路２を画する部材は樹脂成形品である。また、通信用アンテナ１０の近傍には、金属製の部品は配置されていない。この通信用アンテナ１０はＩＣカード４に設けられているアンテナとの間で非接触でデータのやり取りを行う。なお、カード４には接触式のＩＣ接点も設けられている。また、ＩＣカード４には磁気ストライプも設けられている。
【００２５】
このカードリーダのカード挿入口３２に差し込まれたＩＣカード４をプリヘッド３３が検出すると、駆動モータ１が回転しカード搬送手段３を駆動する。カード搬送手段３は、例えば４つの搬送ローラ対３４〜３７を備えている。駆動モータ１の回転はギア３８に伝えられ、さらに搬送ローラ対３４に伝えられる。搬送ローラ対３４の回転は２つの搬送ローラ対３５，３６に伝えられ、さらに搬送ローラ対３５の回転は搬送ローラ対３７に伝えられる。
【００２６】
カード搬送手段３によってカードリーダ内に取り込まれたＩＣカード４が画像読み込み部１２まで搬送され密着型スキャナ５の下方を通過すると、この密着型スキャナ５によってＩＣカード４の表面の画像が読み込まれる。
【００２７】
ホルダ１６に取り付けられた密着型スキャナ５は加圧機構６によってカード搬送路２に向けて加圧されているので、リブ２２がＩＣカード４の表面に接触し、ＩＣカード４と密着型スキャナ５との間隔が一定に保持される。また、たとえＩＣカード４が湾曲していても、加圧機構６の加圧力によってＩＣカード４の湾曲が矯正され、あるいは湾曲を完全に矯正できない場合であっても加圧機構６であるコイルスプリングが縮むことで密着型スキャナ５がＩＣカード４の湾曲に応じて退くので、常にＩＣカード４と密着型スキャナ５との間隔が一定に保持される。これらのため、密着型スキャナ５による読取品質を向上させることができる。また、密着型スキャナ５がＩＣカード４の湾曲に応じて退くので、たとえＩＣカード４が湾曲していても搬送中にジャムを発生することがない。
【００２８】
また、カード搬送路２を挟んだ密着型スキャナ５の下方には通信用アンテナ１０が配置されており、密着型スキャナ５によってＩＣカード４表面の画像を取り込みながらＩＣカード４のＩＣチップとの間で非接触でデータのリード・ライトが行われる。ＩＣカード４は加圧機構６によって加圧されているので、ＩＣカード４と通信用アンテナ１０との間隔が一定に保持され、リードライトの通信の信頼性を向上させ、リードライトの品質向上を図ることができる。
【００２９】
密着型スキャナ５をメンテナンスする場合等には、係止手段１８を固定フレーム１７から外して開閉機構７を開けば良い。係止手段１８の摘み２３を回転させて止めピン２５の位置を係止プレート２９のスリット３０の形状に合わせることで、軸２４の先端を固定フレーム１７の孔２８から引き抜くことが出来る。軸２４の先端を引き抜いてホルダ１６及び揺動フレーム１５を軸１４まわりに持ち上げることで開閉機構７が開き、密着型スキャナ５の読み取り面を上に向けることができてメンテナンスし易くなる。なお、軸２４の先端を固定フレーム１７の孔２８から引き抜くと加圧機構６の加圧力が軸２４を孔２６から引き抜こうとするが、ホルダ１６に設けられた窪み２７に止めピン２５が入り込んで引っ掛かり、軸２４が抜け落ちるのを防止する。
【００３０】
密着型スキャナ５のメンテナンスを行った後、開閉機構７を閉じる。ホルダ１６及び揺動フレーム１５を軸１４まわりに降ろし、係止手段１８によって固定フレーム１７に係止する。係止手段１８の止めピン２５の位置をスリット３０の形状に合わせることで軸２４の先端を固定フレーム１７の孔２８内に挿入することができる。そして、摘み２３を回転させて止めピン２５の位置をスリット３０からずらすことで、軸２４の先端が固定フレーム１７の孔２８から抜けなくなり、係止手段１８によってホルダ１６及び揺動フレーム１５が固定フレーム１７に係止される。
【００３１】
このカードリーダでは、加圧機構６によって開閉機構７のホルダ１６を加圧しているので、ＩＣカード４と密着型スキャナ５との間隔を一定に保持することができ、被写界深度の浅い密着型スキャナ５の使用が可能になる。密着型スキャナ５は縮小光学型イメージスキャナに比べて小型であり、カードリーダを小型化することが出来る。
【００３２】
また、加圧機構６によってＩＣカード４の湾曲を矯正しながら密着型スキャナ５が画像を取り込むので、読み取り性能が向上する。
【００３３】
また、たとえＩＣカード４の湾曲を完全に矯正できない場合であっても加圧機構６であるコイルスプリングが縮まることで密着型スキャナ５が退くので、ＩＣカード４の湾曲に応じてカード搬送路２の高さが変化することになり、搬送負荷を軽減しカードジャムを防止することができる。
【００３４】
また、開閉機構７によって密着型スキャナ５を開閉式にしているので、密着型スキャナ５の投受光面（ガラス）に付着したゴミ等のクリーニング等のメンテナンス性が向上する。
【００３５】
さらに、開閉機構７のホルダ１６を加圧機構６によって加圧すると共に、開閉機構７の開閉方向と加圧機構６の加圧方向とを一致させているので、いわば加圧機構６と開閉機構７を兼用することになり、部品点数の増加を抑えて生産コストを削減することができる。
【００３６】
また、このカードリーダでは、搬送路下側壁３１、ホルダ１６及び固定フレーム１７が樹脂製であり、通信用アンテナ１０の近傍ではカード搬送路２を画する部材は樹脂成形品である。そして、通信用アンテナ１０の近傍には、金属製の部品を配置していない。通信用アンテナ１０から発信される電波は樹脂製の部材を透過することができ、大きく弱められることはない。このため、非接触のリードライト性能が向上し、ＩＣカード４との間でデータのリード・ライトが確実に行われる。
【００３７】
また、このカードリーダは、搬送路下側壁３１、ホルダ１６及び固定フレーム１７を樹脂製にし、これにより通信用アンテナ１０をカードリーダの内部に設置しているので、通信用アンテナ１０を画像読み込み部１２の後に別ユニットとして取り付けた場合に比べて、カードリーダを小型化することが出来る。即ち、接点を接触させてリード・ライトを行うカードリーダに非接触式のリードライト機能を追加する場合、カード搬送路２を画像読み込み部１２の後方に延長し、この延長部分に通信用アンテナ１０を配置することで、非接触式のリードライト機能を簡単に追加することができる。しかしながら、この場合には、カードリーダが大型化してしまう。本発明のカードリーダでは、カード搬送路２を延長することがないので、カードリーダを小型化することができる。
【００３８】
また、このカードリーダは、カード搬送路２を挟んでスキャナ５に対向する位置に通信用アンテナ１０を配置している。カード搬送路２を挟んでスキャナ５に対向する位置は、空きスペースになっている。即ち、空きスペースを利用して通信用アンテナ１０を配置しており、カードリーダを大型化することなく、非接触式のリードライト機能を追加することができる。
【００３９】
なお、上述の形態は本発明の好適な形態の一例ではあるがこれに限定されるものではなく本発明の要旨を逸脱しない範囲において種々変形実施可能である。例えば、上述の説明では、スキャナ５として密着型スキャナを使用していたが、密着型スキャナに限るものではない。例えば図７及び図８に示すように、スキャナ５として縮小光学型イメージスキャナ等を使用しても良い。即ち、カード搬送路２を挟んで通信用アンテナ１０と対向する位置に配置され、樹脂成形されたホルダ１６と、該ホルダ１６に形成され、ＩＣカード４のエンボス部分以外の部分を押さえるリブ２２を備え、通信用アンテナ１０は、カード搬送路２を搬送されるＩＣカード４に対向する位置に配置され、通信用アンテナ１０が配置された近傍におけるカード搬送路２を画する部材は樹脂成形されるとともに、ホルダ１６には、搬送中のＩＣカード４に形成されたエンボスを読み取る縮小光学型スキャナ５が取り付けられているカードリーダであっても良い。
【００４０】
また、上述の説明では開閉機構７を軸１４を中心に揺動させることで上下方向に開閉する構造とし且つ加圧機構６によってホルダ１６を下方向に加圧する構造であったが、必ずしもこの構造に限るものではない。例えば、ホルダ１６を図示しないガイド等に沿って上下に移動させてメンテナンスを可能にすると共に、加圧機構６によってホルダ１６を下方に加圧するようにしても良い。また、ホルダ１６を取り外し可能にしても良い。
【００４１】
また、上述の説明では、加圧機構６として圧縮コイルスプリングを使用していたが、必ずしもこれに限るものではなく、例えば引っ張りコイルスプリングや、捻りコイルスプリング、更にはリーフスプリング等を使用しても良い。
【００４２】
さらに、上述の説明では、通信用アンテナ１０の他に接触式のＩＣ接点ブロック８や磁気ヘッド９を備えるカードリーダを例にしたが、磁気ヘッド９を有していないカードリーダや、ＩＣ接点ブロック８を有していないカードリーダに適用しても良い。
【００４３】
【発明の効果】
以上説明したように請求項１記載のＩＣカードリーダでは、カード搬送路を挟んで通信用アンテナと対向する位置に配置され、樹脂成形されたホルダと、該ホルダに形成され、ＩＣカードのエンボス部分以外の部分を押さえるリブと、該リブを介してＩＣカードを押さえる加圧機構を備え、通信用アンテナを、カード搬送路を搬送される非接触式ＩＣカードに対向する位置に配置し、通信用アンテナが配置された近傍におけるカード搬送路を画する部材を樹脂成形するとともに、ホルダには、搬送中の非接触式ＩＣカードに形成されたエンボスを読み取るスキャナを取り付けているので、通信用アンテナをＩＣカードリーダ内部に配置することができ、ＩＣカードリーダを小型化することができる。また、通信用アンテナの近傍に電波を弱める金属部品がないので、非接触式のリードライト性能を向上させることができる。
【００４４】
さらに、加圧機構によってカードの湾曲を矯正しながらスキャナによって画像読み込みを行うことが出来るので、カードとスキャナとの間隔を適正にした状態で画像読み込みを行うことができ、画像の読み取り性能を向上させることが出来る。また、加圧機構によってカードの湾曲を矯正しながらカードを搬送するので、カードと通信用アンテナとの間隔を適正にした状態でリードライトの通信を行うことができ、リードライトの品質向上を図ることができる。さらに、たとえカードの湾曲を完全に矯正できない場合であっても加圧機構によってスキャナを逃がすことができるので、カードの搬送負荷を軽減しカードジャムを防止することができる。
【００４５】
この場合、請求項２記載のＩＣカードリーダのように、スキャナが密着型スキャナまたは縮小光学型スキャナであっても良い。即ち、被写界深度の深い縮小光学型スキャナを使用することもできるし、また、加圧機構の働きによってＩＣカードとスキャナの間隔がリブの高さに保持されるので、スキャナとして被写界深度の浅い密着型スキャナを使用することもできる。
【００４６】
さらに、請求項３記載のＩＣカードリーダでは、ホルダをカード搬送路に対して近接・離間する方向に移動可能な開閉機構を有しているので、スキャナのメンテナンスが容易になる。また、加圧機構の加圧方向と開閉機構によるスキャナ及び加圧機構の移動方向が同じになり、加圧機構と開閉機構の部品の兼用を図ることができ、部品点数の増加を抑えて製造コストを削減することができる。
【００４７】
また、請求項４記載のＩＣカードリーダでは、カード搬送路を挟んで通信用アンテナと対向する位置に配置され、樹脂成形されたホルダと、該ホルダに形成され、ＩＣカードのエンボス部分以外の部分を押さえるリブとを備え、通信アンテナを、カード搬送路を搬送される非接触式ＩＣカードに対向する位置に配置し、通信用アンテナが配置された近傍におけるカード搬送路を画する部材を樹脂成形するとともに、ホルダには、搬送中の非接触式ＩＣカードに形成されたエンボスを読み取る縮小光学型スキャナを取り付けているので、通信用アンテナをＩＣカードリーダ内部に配置することができ、ＩＣカードリーダを小型化することができる。また、通信用アンテナの近傍に電波を弱める金属部品がないので、非接触式のリードライト性能を向上させることができる。さらに、スキャナとして被写界深度が深い縮小光学型スキャナを使用することができる。
【図面の簡単な説明】
【図１】本発明を適用したカードリーダの実施形態の一例を示し、その側面から見た概略構成図である。
【図２】図１のカードリーダの画像読み込み部を拡大して示す概略構成図である。
【図３】図１のカードリーダの画像読み込み部の平面図である。
【図４】図１のカードリーダのホルダに設けられたリブを示す図である。
【図５】図１のカードリーダのホルダを示す平面図である。
【図６】図１のカードリーダの固定フレームを示す平面図である。
【図７】本発明を適用したカードリーダの他の実施形態を示し、その側面からみた概略構成図である。
【図８】図７のカードリーダの背面図である。
【符号の説明】
２  カード搬送路
３  カード搬送手段
４  非接触式ＩＣカード
５  密着型スキャナ
６  加圧機構
７  開閉機構
１０  通信用アンテナ
１６  ホルダ
２２  リブ
【図１】
0003870035.tif 000002
【図２】
0003870035.tif 000003
【図３】
0003870035.tif 000004
【図４】
0003870035.tif 000005
【図５】
0003870035.tif 000006
【図６】
0003870035.tif 000007
【図７】
0003870035.tif 000008
【図８】
0003870035.tif 000009